(57)【要約】【課題】透過表示のみならず反射表示の表示品位も良好な液晶表示装置を提供することを目的とする。【解決手段】  互いに対向して配置されたアレイ基板ＡＲと対向基板ＣＴとの間に液晶層ＬＱを保持した液晶表示パネルＬＰＮと、各色画素ＰＸ（Ｒ、Ｇ、Ｂ）に対応して液晶表示パネルＬＰＮの内面に設けられたカラーフィルタ層３４と、を備え、カラーフィルタ層３４は、赤色画素ＰＸＲの反射部ＰＲ及び透過部ＰＴに配置された第１着色樹脂ＣＦ１と、緑色画素ＰＸＧの反射部ＰＲ及び透過部ＰＴに配置された第２着色樹脂ＣＦ２と、青色画素ＰＸＢの反射部ＰＲ及び透過部ＰＴに配置された第３着色樹脂ＣＦ３と、赤色画素ＰＸＲ、緑色画素ＰＸＧ、及び、青色画素ＰＸＢの反射部ＰＲにそれぞれ配置され緑色波長に吸収ピークを有する第４着色樹脂ＣＦ４と、を備えたことを特徴とする。【選択図】          図３
2007025229.tif 000002
【特許請求の範囲】
【請求項１】
マトリクス状に配置された複数の画素のそれぞれに反射部及び透過部を有する液晶表示装置において、
互いに対向して配置された第１基板と第２基板との間に液晶層を保持した液晶表示パネルと、
各画素に対応して前記液晶表示パネルの内面に設けられたカラーフィルタ層と、を備え、
前記カラーフィルタ層は、
赤色画素の反射部及び透過部に配置された第１着色樹脂と、
緑色画素の反射部及び透過部に配置された第２着色樹脂と、
青色画素の反射部及び透過部に配置された第３着色樹脂と、
赤色画素、緑色画素、及び、青色画素の反射部にそれぞれ配置され緑色波長に吸収ピークを有する第４着色樹脂と、
を有することを特徴とする液晶表示装置。
【請求項２】
前記第４着色樹脂は、その透過光がマゼンタ色を呈する着色樹脂であることを特徴とする請求項１に記載の液晶表示装置。
【請求項３】
前記第４着色樹脂は、その透過光が赤色を呈する着色樹脂であることを特徴とする請求項１に記載の液晶表示装置。
【請求項４】
前記第１着色樹脂、前記第２着色樹脂、及び、前記第３着色樹脂は、それぞれの対応する色画素の反射部に配置される配置面積が異なることを特徴とする請求項１に記載の液晶表示装置。
【請求項５】
前記第１着色樹脂、前記第２着色樹脂、及び、前記第３着色樹脂は、それぞれの対応する色画素の反射部に配置される配置面積が、
第３着色樹脂＞第１着色樹脂＞第２着色樹脂
の関係を満たすように配置されたことを特徴とする請求項４に記載の液晶表示装置。
【請求項６】
前記第４着色樹脂が配置される面積は、赤色画素、緑色画素、及び、青色画素のそれぞれの反射部で異なることを特徴とする請求項１に記載の液晶表示装置。
【請求項７】
前記第４着色樹脂は、それぞれの画素に配置される面積が、
緑色画素＞赤色画素＞青色画素
の関係を満たすように配置されたことを特徴とする請求項６に記載の液晶表示装置。
【発明の詳細な説明】
【技術分野】
【０００１】
この発明は、液晶表示装置に係り、特に、外光を反射することによって画像を表示する反射部及びバックライト光を透過することによって画像を表示する透過部を備えた液晶表示装置に関する。
【背景技術】
【０００２】
反射部及び透過部を備えた半透過型液晶表示装置は、暗所においては、画素内の透過部を利用してバックライト光を選択的に透過することによって画像を表示する透過型液晶表示装置として機能し、明所においては、画素内の反射部を利用して外光を選択的に反射することによって画像を表示する反射型液晶表示装置として機能する。これにより、消費電力を大幅に低減することができるメリットがある。
【０００３】
カラー表示タイプの半透過型液晶表示装置は、各画素に対応してカラーフィルタ層を備えている。すなわち、このような液晶表示装置は、赤色画素の反射部及び透過部に透過光が赤色を呈する赤色樹脂を備え、緑色画素の反射部及び透過部に透過光が緑色を呈する緑色樹脂を備え、青色画素の反射部及び透過部に透過光が青色を呈する青色樹脂を備えている（例えば、特許文献１参照。）。
【特許文献１】特開２００４−１０９４９９号公報
【発明の開示】
【発明が解決しようとする課題】
【０００４】
上述したような半透過型液晶表示装置において、主に透過部を利用して画像を表示する際、バックライト光がカラーフィルタ層を１回通過するに対して、主に反射部を利用して画像を表示する際には外光がカラーフィルタ層を２回通過する。このため、反射部と透過部とで同一構成のカラーフィルタ層を適用した場合、反射部を利用して表示される画像の色味が濃くなり（あるいは透過率が低くなり）、また、カラー画像を表示した際の色バランスが乱れやすく、所望の表示品位が得られないおそれがある。
【０００５】
この発明は、上述した問題点に鑑みなされたものであって、その目的は、透過表示のみならず反射表示の表示品位も良好な液晶表示装置を提供することにある。
【課題を解決するための手段】
【０００６】
この発明の態様による液晶表示装置は、
マトリクス状に配置された複数の画素のそれぞれに反射部及び透過部を有する液晶表示装置において、
互いに対向して配置された第１基板と第２基板との間に液晶層を保持した液晶表示パネルと、
各画素に対応して前記液晶表示パネルの内面に設けられたカラーフィルタ層と、を備え、
前記カラーフィルタ層は、
赤色画素の反射部及び透過部に配置された第１着色樹脂と、
緑色画素の反射部及び透過部に配置された第２着色樹脂と、
青色画素の反射部及び透過部に配置された第３着色樹脂と、
赤色画素、緑色画素、及び、青色画素の反射部にそれぞれ配置され緑色波長に吸収ピークを有する第４着色樹脂と、
を有することを特徴とする。
【発明の効果】
【０００７】
この発明によれば、透過表示のみならず反射表示の表示品位も良好な液晶表示装置を提供することができる。
【発明を実施するための最良の形態】
【０００８】
以下、この発明の一実施の形態に係る液晶表示装置について図面を参照して説明する。なお、ここでは、液晶表示装置として、１画素内に外光を選択的に反射することによって画像を表示する反射部とバックライト光を選択的に透過することによって画像を表示する透過部とを有する半透過型液晶表示装置を例に説明するが、表示領域の一部に反射部が設けられた部分反射型液晶表示装置など、表示領域の少なくとも一部に反射部を備えた液晶表示装置であれば、以下に説明する実施の形態に基づき、同様の効果が得られるものである。
【０００９】
図１及び図２に示すように、液晶表示装置は、アクティブマトリクスタイプのカラー液晶表示装置であって、液晶表示パネルＬＰＮを備えている。この液晶表示パネルＬＰＮは、アレイ基板（第１基板）ＡＲと、アレイ基板ＡＲと互いに対向して配置された対向基板（第２基板）ＣＴと、これらアレイ基板ＡＲと対向基板ＣＴとの間に保持された液晶層ＬＱと、を備えて構成されている。
【００１０】
また、この液晶表示装置は、アレイ基板ＡＲの液晶層ＬＱを保持する面とは反対の外面に設けられた光学フィルムＰＯＬ１、及び、対向基板ＣＴの液晶層ＬＱを保持する面とは反対の外面に設けられた光学フィルムＰＯＬ２を備えている。さらに、この液晶表示装置は、光学フィルムＰＯＬ１側から液晶表示パネルＬＰＮを照明するバックライトユニットＢＬを備えている。
【００１１】
液晶表示パネルＬＰＮは、画像を表示する表示領域ＤＳＰを備えている。表示領域ＤＳＰは、ｍ×ｎ個のマトリクス状に配置された複数の画素ＰＸによって構成されている。各画素ＰＸは、外光を選択的に反射することによって画像を表示する反射部ＰＲと、バックライトユニットＢＬからのバックライト光を選択的に透過することによって画像を表示する透過部ＰＴと、を有している。
【００１２】
アレイ基板ＡＲは、ガラス板などの光透過性を有する絶縁基板１０を用いて形成されている。すなわち、このアレイ基板ＡＲは、表示領域ＤＳＰにおいて、画素毎に配置されたｍ×ｎ個の画素電極ＥＰ、これら画素電極ＥＰの行に沿ってそれぞれ形成されたｎ本の走査線Ｙ（Ｙ１〜Ｙｎ）、これら画素電極ＥＰの列に沿って形成されたｍ本の信号線Ｘ（Ｘ１〜Ｘｍ）、各々対応走査線Ｙ及び対応信号線Ｘの交差位置近傍に画素毎に配置されたｍ×ｎ個のスイッチング素子Ｗなどを有している。
【００１３】
ｎ本の走査線Ｙは、アレイ基板ＡＲ上または外部回路基板上に配置された走査線ドライバＹＤに接続されている。ｍ本の信号線Ｘは、アレイ基板ＡＲ上または外部回路基板上に配置された信号線ドライバＸＤに接続されている。
【００１４】
アレイ基板ＡＲにおいて、各スイッチング素子Ｗは、例えばＮチャネル薄膜トランジスタであり、絶縁基板１０上に配置されたポリシリコン半導体層１２を有している。ポリシリコン半導体層１２は、チャネル領域１２Ｃを挟んだ両側にそれぞれソース領域１２Ｓ及びドレイン領域１２Ｄを有している。このポリシリコン半導体層１２は、ゲート絶縁膜１４によって覆われている。
【００１５】
薄膜トランジスタＷのゲート電極ＷＧは、走査線Ｙに接続されている（あるいは走査線Ｙと一体的に形成されている）。ゲート電極ＷＧ及び走査線Ｙは、とともにゲート絶縁膜１４上に形成されている。これらゲート電極ＷＧ、及び、走査線Ｙは、層間絶縁膜１６によって覆われている。
【００１６】
薄膜トランジスタＷのソース電極ＷＳ及びドレイン電極ＷＤは、層間絶縁膜１６上においてゲート電極ＷＧの両側に配置されている。ソース電極ＷＳは、信号線Ｘに接続される（あるいは信号線Ｘと一体的に形成される）とともに、ポリシリコン半導体層１２のソース領域１２Ｓにコンタクトしている。ドレイン電極ＷＤは、画素電極ＥＰに接続されるとともに、ポリシリコン半導体層１２のドレイン領域１２Ｄにコンタクトしている。これらソース電極ＷＳ、ドレイン電極ＷＤ、及び、信号線Ｘは、有機絶縁膜１８によって覆われている。
【００１７】
画素電極ＥＰは、反射部ＰＲに対応して設けられた反射電極ＥＰＲ及び透過部ＰＴに対応して設けられた透過電極ＥＰＴを有している。反射電極ＥＰＲは、有機絶縁膜１８上に配置され、ドレイン電極ＷＤと電気的に接続されている。この反射電極ＥＰＲは、アルミニウムなどの光反射性を有する金属膜によって形成される。透過電極ＥＰＴは、層間絶縁膜１６上に配置され、反射電極ＥＰＲと電気的に接続されている。この透過電極ＥＰＴは、インジウム・ティン・オキサイド（ＩＴＯ）などの光透過性を有する金属膜によって形成される。すべての画素ＰＸに対応した画素電極ＥＰは、配向膜２０によって覆われている。
【００１８】
一方、対向基板ＣＴは、ガラス板などの光透過性を有する絶縁基板３０を用いて形成されている。すなわち、この対向基板ＣＴは、表示領域ＤＳＰにおいて、対向電極ＥＴなどを備えている。対向電極ＥＴは、すべての画素ＰＸに対応して画素電極ＥＰに対向するように配置されている。この対向電極ＥＴは、インジウム・ティン・オキサイド（ＩＴＯ）などの光透過性を有する金属膜によって形成されている。また、この対向電極ＥＴは、配向膜３６によって覆われている。
【００１９】
このような対向基板ＣＴと、上述したようなアレイ基板ＡＲとをそれぞれの配向膜２０及び３６を対向して配置したとき、両者の間に配置された図示しないスペーサにより、所定のギャップが形成される。すなわち、反射部ＰＲには、透過部ＰＴのほぼ半分程度のギャップが形成される。
【００２０】
液晶層ＬＱは、これらアレイ基板ＡＲの配向膜２０と対向基板ＣＴの配向膜３６との間に形成されたギャップに封入された液晶分子を含む液晶組成物で構成さていれる。
【００２１】
光学フィルムＰＯＬ１及びＰＯＬ２は、これらを通過する光の偏光状態を制御するものであり、偏光板などを含んでいる。
【００２２】
ところで、カラー表示タイプの液晶表示装置は、各画素に対応して液晶表示パネルＬＰＮの内面に設けられたカラーフィルタ層３４を備えている。図２及び図３に示した例では、カラーフィルタ層３４は、対向基板ＣＴに設けられている。カラーフィルタ層３４は、互いに異なる色、例えば赤色、青色、緑色といった３原色にそれぞれ着色された着色樹脂によって形成されている。
【００２３】
すなわち、図３に示すように、カラーフィルタ層３４は、赤色画素ＰＸＲの反射部ＰＲ及び透過部ＰＴに配置された第１着色樹脂ＣＦ１と、緑色画素ＰＸＧの反射部ＰＲ及び透過部ＰＴに配置された第２着色樹脂ＣＦ２と、青色画素ＰＸＢの反射部ＰＲ及び透過部ＰＴに配置された第３着色樹脂ＣＦ３と、を有している。なお、図３では、カラーフィルタ層３４以外の構成は省略している。第１着色樹脂ＣＦ１は、その透過光が主に赤色を呈する赤色樹脂である。第２着色樹脂ＣＦ２は、その透過光が主に緑色を呈する緑色樹脂である。第３着色樹脂ＣＦ３は、その透過光が主に青色を呈する青色樹脂である。
【００２４】
上述した構成の液晶表示装置において、主に透過部ＰＴを利用して画像を表示する際、バックライト光がカラーフィルタ層３４を１回通過するに対して、主に反射部ＰＲを利用して画像を表示する際には外光がカラーフィルタ層３４を２回通過する。このため、反射部ＰＲと透過部ＰＴとで同一構成のカラーフィルタ層を適用した場合、反射部ＰＲを利用して表示される画像の色味が濃くなり（あるいは透過率が低くなり）、また、カラー画像を表示した際の色バランスが乱れやすく、所望の表示品位が得られないおそれがある。
【００２５】
そこで、カラーフィルタ層３４は、反射部ＰＲと透過部ＰＴとで異なる構成を採用している。すなわち、カラーフィルタ層３４は、さらに、赤色画素ＰＸＲ、緑色画素ＰＸＧ、及び、青色画素ＰＸＢの反射部ＰＲにそれぞれ配置された第４着色樹脂ＣＦ４を有している。この第４着色樹脂ＣＦ４は、緑色波長（例えば４９２ｎｍ〜５７７ｎｍの波長範囲）に吸収ピークを有するものである。
【００２６】
この第４着色樹脂ＣＦ４としては、その透過光がマゼンタ色を呈する着色樹脂、あるいは、その透過光が赤色を呈する着色樹脂であることが望ましい。マゼンタ色を呈する第４着色樹脂ＣＦ４は、例えば図４の「Ａ」で示すように、その分光透過率分布において緑色波長付近に透過率のボトムを有し、赤色波長（例えば６２２ｎｍ〜７７０ｎｍの波長範囲）付近で透過率のピークを有するような材料で形成される。また、赤色を呈する第４着色樹脂ＣＦ４は、例えば図４の「Ｂ」で示すように、その分光透過率分布において緑色波長付近に透過率のボトムを有し、赤色波長付近で透過率のピークを有するような材料で形成される。
【００２７】
つまり、この実施の形態においては、各色画素について反射部ＰＲと透過部ＰＴとでは異なる構成のカラーフィルタ層３４が適用されている。すなわち、赤色画素ＰＸＲについて、透過部ＰＴには赤色を呈する第１着色樹脂ＣＦ１のみが配置され、反射部ＰＲには第１着色樹脂ＣＦ１の他に第４着色樹脂ＣＦ４が配置されている。また、緑色画素ＰＸＧについて、透過部ＰＴには緑色を呈する第２着色樹脂ＣＦ２のみが配置され、反射部ＰＲには第２着色樹脂ＣＦ２の他に第４着色樹脂ＣＦ４が配置されている。さらに、青色画素ＰＸＢについて、透過部ＰＴには青色を呈する第３着色樹脂ＣＦ３のみが配置され、反射部ＰＲには第３着色樹脂ＣＦ３の他に第４着色樹脂ＣＦ４が配置されている。
【００２８】
このように、透過部ＰＴのカラーフィルタ層３４については、透過表示の表示品位を考慮して配置される一方で、反射部ＰＲのカラーフィルタ層３４についても、反射表示の表示品位を考慮して配置される。つまり、各色画素ＰＸ（Ｒ、Ｇ、Ｂ）の反射部ＰＲについては、透過部ＰＴのように対応する色の着色樹脂ＣＦ１、ＣＦ２、ＣＦ３を反射部ＰＲの全体に配置するのではなく、反射部ＰＲの一部に配置している。このように、各色画素ＰＸ（Ｒ、Ｇ、Ｂ）の反射部ＰＲに配置される着色樹脂ＣＦ１、ＣＦ２、ＣＦ３の配置面積を制御する（例えば、各着色樹脂ＣＦ１、ＣＦ２、ＣＦ３は、それぞれの対応する色画素ＰＸ（Ｒ、Ｇ、Ｂ）の反射部ＰＲに配置される面積が異なる）ことにより、反射部ＰＲを利用して表示される画像の色味を薄め、且つ、色バランスを最適化することが可能となる。
【００２９】
また、各色画素ＰＸ（Ｒ、Ｇ、Ｂ）の反射部ＰＲについて、対応する色の着色樹脂ＣＦ１、ＣＦ２、ＣＦ３を削除した部分に、白色画像を表示した際の色づきを補償するような分光透過率を有する材料からなる第４着色樹脂ＣＦ４を配置している。これにより、透過表示のみならず反射表示の表示品位も良好な液晶表示装置を提供することができる。
【００３０】
以下に、比較例及び実施例について説明する。
【００３１】
（比較例１）  
赤色画素ＰＸＲの反射部ＰＲに配置される第１着色樹脂ＣＦ１、緑色画素ＰＸＧの反射部ＰＲに配置される第２着色樹脂ＣＦ２、及び、青色画素ＰＸＢの反射部ＰＲに配置される第３着色樹脂ＣＦ３のそれぞれの配置面積は、画像の色味が濃すぎることなく、色バランスを最適化するように設定されている。ここでは、それぞれの着色樹脂ＣＦ１、ＣＦ２、ＣＦ３は、それぞれの配置面積が、
第３着色樹脂（ＣＦ３）＞第１着色樹脂（ＣＦ１）＞第２着色樹脂（ＣＦ２）
の関係を満たすように配置されている。
【００３２】
また、各色画素ＰＸ（Ｒ、Ｇ、Ｂ）の反射部ＰＲについて、これらの着色樹脂ＣＦ１、ＣＦ２、ＣＦ３を削除した部分には、図４の「Ｃ」で示したような分光透過率分布を有する透明樹脂が配置されている。
【００３３】
このような構成の比較例１に係る液晶表示装置ついて、反射表示を行った際の色度特性を図５に示す。赤、緑、青の色バランスは良好であったが、白画像を表示した際の白色度にやや緑色（もしくは黄緑色）の色づきを生じていることが確認された。なお、白色度の色度座標値は、（ｘ，ｙ）＝（０．３０６，０．３４８）であった。
【００３４】
（比較例２）  
赤色画素ＰＸＲの反射部ＰＲに配置される第１着色樹脂ＣＦ１、緑色画素ＰＸＧの反射部ＰＲに配置される第２着色樹脂ＣＦ２、及び、青色画素ＰＸＢの反射部ＰＲに配置される第３着色樹脂ＣＦ３のそれぞれの配置面積は、白画像を表示した際の色づきを抑制するように設定されている。また、各色画素ＰＸ（Ｒ、Ｇ、Ｂ）の反射部ＰＲについて、これらの着色樹脂ＣＦ１、ＣＦ２、ＣＦ３を削除した部分には、図４の「Ｃ」で示したような分光透過率分布を有する透明樹脂が配置されている。ここでは、透明樹脂は、それぞれの色画素ＰＸ（Ｒ、Ｇ、Ｂ）に配置される面積が、
緑色画素＞赤色画素＞青色画素
の関係を満たすように配置されている。
【００３５】
このような構成の比較例２に係る液晶表示装置ついて、反射表示を行った際の色度特性は、図５に示すように、白色度は良好であったが、赤、緑、青の色バランスが乱れ、特に、緑色の反射表示が不自然なものとして視認された。なお、白色度の色度座標値は、（ｘ，ｙ）＝（０．３０６，０．３３３）であった。
【００３６】
（実施例１）  
赤色画素ＰＸＲの反射部ＰＲに配置される第１着色樹脂ＣＦ１、緑色画素ＰＸＧの反射部ＰＲに配置される第２着色樹脂ＣＦ２、及び、青色画素ＰＸＢの反射部ＰＲに配置される第３着色樹脂ＣＦ３のそれぞれの配置面積は、画像の色味が濃すぎることなく、色バランスを最適化するように設定されている。ここでは、それぞれの着色樹脂ＣＦ１、ＣＦ２、ＣＦ３は、それぞれの配置面積が、
第３着色樹脂（ＣＦ３）＞第１着色樹脂（ＣＦ１）＞第２着色樹脂（ＣＦ２）
の関係を満たすように配置されている。
【００３７】
また、各色画素ＰＸ（Ｒ、Ｇ、Ｂ）の反射部ＰＲについて、これらの着色樹脂ＣＦ１、ＣＦ２、ＣＦ３を削除した部分には、図４の「Ａ」で示したような分光透過率分布を有する第４着色樹脂ＣＦ４が配置されている。ここでは、第４着色樹脂ＣＦ４は、それぞれの色画素に配置される面積が、
緑色画素＞赤色画素＞青色画素
の関係を満たすように配置されている。
【００３８】
このような構成の実施例１に係る液晶表示装置ついて、反射表示を行ったところ、その色度特性は、図５に示すように、赤、緑、青の色バランスが良好であり、しかも、白画像を表示した際の白色度も良好であることが確認された。なお、白色度の色度座標値は、（ｘ，ｙ）＝（０．３０６，０．３３４）であった。
【００３９】
（実施例２）  
各色画素ＰＸ（Ｒ、Ｇ、Ｂ）の反射部ＰＲについて、着色樹脂ＣＦ１、ＣＦ２、ＣＦ３を削除した部分に、図４の「Ｂ」で示したような分光透過率分布を有する第４着色樹脂ＣＦ４を配置する他は、実施例１と同様に構成した。
【００４０】
このような構成の実施例２に係る液晶表示装置ついて、反射表示を行ったところ、その色度特性は、図５に示すように、赤、緑、青の色バランスが良好であり、しかも、白画像を表示した際の白色度も良好であることが確認された。なお、白色度の色度座標値は、（ｘ，ｙ）＝（０．３１９，０．３４１）であった。
【００４１】
ちなみに、各色画素の反射部ＰＲについて、着色樹脂ＣＦ１、ＣＦ２、ＣＦ３を削除した部分に、他の分光透過率分布を有する着色樹脂を配置する他は、実施例１と同様に構成した場合の色度特性も測定した。第４着色樹脂ＣＦ４として、緑色を呈する着色樹脂を用いた場合、白色度の色度座標値は、（ｘ，ｙ）＝（０．３０５，０．３７０）であった。第４着色樹脂ＣＦ４として、青色を呈する着色樹脂を用いた場合、白色度の色度座標値は、（ｘ，ｙ）＝（０．２７６，０．３３４）であった。第４着色樹脂ＣＦ４として、シアン色を呈する着色樹脂を用いた場合、白色度の色度座標値は、（ｘ，ｙ）＝（０．２９６，０．３４９）であった。第４着色樹脂ＣＦ４として、イエロー色を呈する着色樹脂を用いた場合、白色度の色度座標値は、（ｘ，ｙ）＝（０．３１４，０．３６８）であった。このような、緑色、青色、シアン色、イエロー色を呈する着色樹脂を用いた場合の色度座標値は、無彩色であるとは言えず、白画像を表示した際に何らかの色に色づいて視認される。
【００４２】
以上説明したように、上述した実施の形態によれば、赤色画素、緑色画素、及び、青色画素の反射部にそれぞれ対応する色の着色樹脂の他に緑色波長に吸収ピークを有する第４着色樹脂を配置したことにより、反射部を利用して表示される画像の表示品位を改善することが可能となる。特に、第４着色樹脂として、その透過光がマゼンタ色を呈する材料を選択した場合、最も色バランスに優れ、しかも、白色度が無彩色であり良好な表示品位を得られることが確認できた。また、第４着色樹脂として、その透過光が赤色を呈する材料を選択した場合でも、マゼンタ色を呈する材料を選択した場合に準ずる良好な表示品位を得られることが確認できた。
【００４３】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４４】
【図１】図１は、この発明の一実施の形態に係る液晶表示装置の構成を概略的に示す図である。
【図２】図２は、図１に示した液晶表示装置の断面構造を概略的に示す図である。
【図３】図３は、図２に示した液晶表示パネルに適用されるカラーフィルタ層の構成を概略的に示す図である。
【図４】図４は、図３に示したカラーフィルタ層のうち、第４着色樹脂として適用可能な材料の分光透過率分布の一例を示す図である。
【図５】図５は、比較例１及び２、及び、実施例１及び２に係る液晶表示装置において、反射部を利用して画像を表示した際の色度特性を説明するための図である。
【符号の説明】
【００４５】
ＬＰＮ…液晶表示パネル、ＡＲ…アレイ基板、ＣＴ…対向基板、ＬＱ…液晶層、ＰＴ…透過部、ＰＲ…反射部、ＢＬ…バックライトユニット、ＰＸ（Ｒ、Ｇ、Ｂ）…画素、ＣＦ１…第１着色樹脂、ＣＦ２…第２着色樹脂、ＣＦ３…第３着色樹脂、ＣＦ４…第４着色樹脂
【図１】
2007025229.tif 000003
【図２】
2007025229.tif 000004
【図３】
2007025229.tif 000005
【図４】
2007025229.tif 000006
【図５】
2007025229.tif 000007